(57)【要約】【課題】蓋体内隅部の段部が損壊し難く、かつ製函が行い易く、自動製函に好適な包装用紙箱を提供する。【解決手段】蓋体内隅部の段部16が、隣接する側壁どうしを連結する第１連結片14aから切り起こされる三角形状の第１段部構成片16aと、該第１段部構成片に山折目26を介して連結されると共に第２連結片14bの中間部に山折目27を介して連結されている第２段部構成片16bとから構成される。第１段部構成片16aは、第１連結片14aと蓋体側壁13との間の谷折目に直交する遊端縁16cを有し、第１段部構成片と第２段部構成片との間の山折目26が、第１連結片と第２連結片との間の山折目25の仮想延長線より第１連結片に連なる側壁13がわに偏位している。第２段部構成片は、前記第１段部構成片の遊端縁と同じ高さ位置にある遊端縁16dを有している。連結片と段部構成片遊端縁との間に、組立時の摩擦軽減用透孔20が設けられている。【選択図】  図５
2008296963.tif 000002
【特許請求の範囲】
【請求項１】
内外二重壁と該二重壁に連結する上壁とからなる側壁を有する上面開口の箱本体と、該箱本体に被せられ内隅部に前記上壁に当接する段部を有する蓋体とからなり、前記蓋体段部が、蓋体の隣接する側壁どうしを連結する互いに山折目を介して連設された一対の第１連結片及び第２連結片から切り起こし形成されてなる包装用紙箱において、
前記蓋体段部が、第１連結片から切り起こされる三角形状の第１段部構成片と、該第１段部構成片に山折目を介して連結されると共に前記第２連結片の中間部に山折目を介して連結されている第２段部構成片とからなり、
第１段部構成片は、第１連結片と蓋体側壁との間の谷折目に直交する遊端縁を有し、
第１段部構成片と第２段部構成片との間の山折目が、第１連結片と第２連結片との間の山折目の仮想延長線より第１連結片に連なる側壁がわに偏位していることを特徴とする包装用紙箱。
【請求項２】
前記第２段部構成片は、前記第１段部構成片の遊端縁と同じ高さ位置にある遊端縁を有している請求項１に記載の包装用紙箱。
【請求項３】
連結片と段部構成片遊端縁との間に、組立時の摩擦軽減用透孔が設けられている請求項１又は請求項２のいずれかに記載の包装用紙箱。
【発明の詳細な説明】
【技術分野】
【０００１】
この発明は、包装用紙箱、特に箱本体の側壁が内外二重壁部と該二重壁部に連設された上壁部とを備える一方、箱本体に被せられる蓋体の内隅部に前記上壁部に当接する段部を備えている包装用紙箱に関するものである。
【背景技術】
【０００２】
この種の包装用紙箱は、蓋体を箱本体に被せた状態において、蓋体天壁が箱本体の側壁に直接接することがなく段部の高さ分だけ箱本体から浮いた状態となるため、箱本体の高さ以上の高さのある商品を収納できるという利点を有している。
【０００３】
また、蓋体の天地を逆にして蓋体の中に箱本体を嵌め入れると、蓋体の段部が箱本体を底上げして持ち上げた格好になり、店頭での陳列時に商品の見映えも良好になることから、古くから、贈答品用の包装用紙箱として、ウイスキー、ブランデーあるいはワイン等の比較的重量がありかつ値の張る商品の包装に用いられている。
【０００４】
この種の包装用紙箱としては、図８及び図９に示すように、第１〜第３構成片（３６ａ）（３６ｂ）（３６ｃ）から構成された段部（３６）が、平面視コ字状を呈する包装用紙箱（特許文献１）や、段部（３６）が、第１構成片と第２構成片とから構成され、両構成片間の折目が、蓋体の側壁どうしを連結する一対の連結片間の山折目の延長線上に設けられた包装用紙箱（特許文献２）が公知である。
【特許文献１】実公昭３９−２９４６５号公報（第２図）
【特許文献２】実開昭５４−２５４２号（第５図）
【発明の開示】
【発明が解決しようとする課題】
【０００５】
上記特許文献に記載の包装用紙箱は、蓋体の正常な組立状態においては、段部が蓋体の内隅部から突出して、所期の目的を達成するものであるが、いずれの包装用紙箱にも次のような欠点があることがわかった。
【０００６】
まず、特許文献１に記載の包装用紙箱は、図８、図９（イ）及び（ロ）に示すように、段部（３６）が第１〜第３構成片（３６ａ）（３６ｂ）（３６ｃ）から構成されているために、いささか組立が行い難く、自動製函に不向きであった。
【０００７】
また、組立後は、段部（３６）の遊端縁が蓋体（３０）の天壁（３１）方向に向かって傾斜状となるために、被包装物の重量によっては、段部（３６）が損壊するおそれもあることがわかった。
【０００８】
また、特許文献２に記載の包装用紙箱は、段部第１構成片及び第２構成片の各々が、隣り合う側壁どうしの連結片と各側壁との間の折目から連設されて、互いに重なり合うようにして内隅部から斜めに突出しているものであることから（特許文献２の第５図参照）、側壁に向かう力のかかり方によっては、内隅部から斜めに突出している段部が、所期する突出方向ではなく、いずれかの側壁に重なり合うようになることがあった。
【０００９】
この発明は、このような事情に鑑みてなされたもので、蓋体内隅部の段部が損傷し難く、かつ製函が行い易く、自動製函に好適な包装用紙箱を提供することを目的とする。
【課題を解決するための手段】
【００１０】
上記目的を達成するために、請求項１に係る発明の包装用紙箱は、
内外二重壁と該二重壁に連結する上壁とからなる側壁を有する上面開口の箱本体と、該箱本体に被せられ内隅部に前記上壁に当接する段部を有する蓋体とからなり、前記段部が、蓋体の隣接する側壁どうしを連結する互いに山折目を介して連設された一対の第１連結片及び第２連結片から切り起こし形成されてなる包装用紙箱において、
前記蓋体段部が、第１連結片から切り起こされる三角形状の第１段部構成片と、該第１段部構成片に山折目を介して連結されると共に前記第２連結片の中間部に山折目を介して連結されている第２段部構成片とからなり、
第１段部構成片は、第１連結片と蓋体側壁との間の谷折目に直交する開放縁を有し、  第１段部構成片と第２段部構成片との間の山折目が、第１連結片と第２連結片との間の山折目の仮想延長線より第１連結片に連なる側壁がわに偏位していることを特徴とする構成が採用される。
【００１１】
請求項２に係る発明の包装用紙箱は、請求項１の構成に加えて、
前記第２連結片は、前記第１段部構成片の遊端縁と同じ高さ位置にある遊端縁を有している構成が採用される。
【００１２】
請求項３に係る発明の包装用紙箱は、請求項１又は請求項２の構成に加えて、
連結片と段部構成片との間に、組立時の摩擦軽減用透孔が設けられている構成が採用される。
【発明の効果】
【００１３】
請求項１の発明によれば、蓋体段部が、第１連結片から切り起こされる三角形状の第１段部構成片と、該第１段部構成片に山折目を介して連結されると共に前記第２連結片に山折目を介して連結されている第２段部構成片とからなり、第１段部構成片は、第１連結片と蓋体側壁との間の谷折目に直交する遊端縁を有しているので、箱本体が蓋体により閉蓋された場合に、従来のこの種の包装用紙箱と同様に、箱本体の高さ以上の高さのある商品を収納できる利点を有することはもとより、箱本体の側壁上壁部が遊端縁のほぼ全面に当接することとなり、包装用紙箱の複数個を積み重ねた際にも、荷重が分散され段部の変型も生じ難い。
【００１４】
また、蓋体の天地を逆にして、蓋体に箱本体を嵌め入れたときも同様に、箱本体の底壁が蓋体段部遊端縁の全面に当接するので、荷重が分散される。
【００１５】
さらに、第１段部構成片と第２段部構成片との間の山折目が、第１連結片と第２連結片との間の山折目の延長線上より第１連結片に連なる側壁がわに偏位しているので、第２段部構成片が第２連結片の中間部に連結されていることと相俟って、連結片を蓋体側壁内面に重ね合わせるように組み立てた際に、第１段部構成片と第２段部構成片とによる平面視三角形状の段部が確実に蓋体内側に向かって突出され、段部に加えられる水平方向からの力にも耐えられる強固な段部が実現される。
【００１６】
さらに、展開状態から組み立てる際には、第１段部構成片と第２段部構成片との間の山折目が、第２連結片側の側壁の起立動作に対応して両段部構成片を確実に山折りとすると共に、第２段部構成片と第２連結片との間の山折目が、第１連結片側の側壁の起立動作に対応して第２段部構成片と第２連結片とを確実に山折りするので、組立も行い易く、特に機械による自動製函に好適である。
【００１７】
請求項２の発明によれば、請求項１の発明の効果に加えて、第２連結片が、第１段部構成片の遊端縁と同じ高さ位置にある遊端縁を有していることにより、段部にかかる荷重は、両段部構成片に分散され、より一層耐荷重性の優れた段部が実現されるという効果を奏する。
【００１８】
請求項３の発明によれば、請求項１又は請求項２の発明の効果に加えて、連結片と段部構成片との間に、組立時の摩擦軽減用透孔が設けられていることにより、組立時に段部の切り起こしがスムーズに行え、より一層自動製函に好適な包装用紙箱を提供できるという効果を奏する。
【発明を実施するための最良の形態】
【００１９】
以下、この発明に係る包装用紙箱の実施形態について、図面を参照して具体的に説明する。図１は、第１実施形態の箱本体に蓋体を被せる途上の斜視図、図２は、閉蓋時の要部断面図、図３は天地を逆にした蓋体に箱本体を嵌め入れた時の要部断面図、図４は、蓋体の展開状態平面図、図５は組立状態の説明図、図６（イ）は、蓋体隅部の展開状態拡大平面図、（ロ）は同蓋体隅部の組立時の拡大平面図、図７（イ）は、第２実施形態の蓋体隅部の展開状態拡大平面図、（ロ）は同蓋体隅部の組立時の拡大平面図である。
【００２０】
図１に示すように、箱本体（１）は、底壁（６）の四周に立設された側壁（２）（３）（４）（５）のいずれもが内外二重壁を有すると共に、該二重壁に連結する上壁（２ａ）（３ａ）（４ａ）（５ａ）を備えたいわゆる額縁形式の従来公知の形態であるので詳細な説明は省略する。
【００２１】
この箱本体（１）の上面開口を閉蓋する蓋体（１０）は、内隅部４箇所に段部（１６）（１６）（１６）（１６）が形成されており、この段部（１６）（１６）（１６）（１６）が、閉蓋時に箱本体の側壁上壁（２ａ）（３ａ）（４ａ）（５ａ）に当接することにより、蓋体天壁（１１）を箱本体の側壁上壁（２ａ）（３ａ）（４ａ）（５ａ）から浮かせた状態を実現し、箱本体（１）の高さ以上の商品を収容可能としている。
【００２２】
この蓋体（１０）を、図４に示す展開状態平面図に基づいて説明すると、天壁（１１）の四周に折目（２１）（２１）（２２）（２２）を介して長側壁（１３）（１３）及び短側壁（１２）（１２）が連設されると共に、隣接する側壁どうしは、連結片（１４）（１４）（１４）（１４）を介して互いに連結されている。
【００２３】
連結片（１４）は、長側壁（１３）に折目（２３）を介して連設された第１連結片（１４ａ）と、短側壁（１２）に折目（２４）を介して連設された第２連結片（１４ｂ）とからなり、第１連結片（１４ａ）と第２連結片（１４ｂ）とは、山折目（２５）を介して互いに連結されている。
【００２４】
段部（１６）は、実質的にこの第１連結片（１４ａ）及び第２連結片（１４ｂ）から切り起こし形成されれるもので、第１段部構成片（１６ａ）と第２段部構成片（１６ｂ）とから構成されている。
【００２５】
図６（イ）に示すように、第１段部構成片（１６ａ）は、第１連結片（１４ａ）と長側壁（１３）との間の折目（２３）と、該折目（２３）に直交する切目（１７）と、第２段部構成片（１６ｂ）との間の山折り目（２６）とによって区画される三角形状を呈している。
【００２６】
前記第２段部構成片（１６ｂ）との間の山折り目（２６）は、第１連結片（１４ａ）と第２連結片（１４ｂ）との間の山折目（２５）の仮想延長線よりも長側壁（１３）寄りに偏位した位置に設けられている。
【００２７】
また、前記切目（１７）に対応する部位が、蓋体の組立時に遊端縁（１６ｃ）となり、閉蓋時に箱本体（１）の側壁上壁（２ａ）（３ａ）（４ａ）（５ａ）に当接することになる。
【００２８】
第２段部構成片（１６ｂ）は、前記第１段部構成片（１６ａ）との間の山折目（２６）と、第２連結片（１４ｂ）に設けられた山折目（２７）と、第１連結片（１４ａ）と第２連結片（１４ｂ）とに跨る摩擦軽減用透孔（２０）に臨む遊端縁（１６ｄ）とによって区画される三角形状を呈している。
【００２９】
この第２段部構成片（１６ｂ）は、第１段部構成片（１６ａ）との間の山折目（２６）と遊端縁（１６ｄ）とのなす角度と、同山折目（２６）と第１段部構成片の切目（１７）又は遊端縁（１６ｃ）とのなす角度とが同一に設定され、組立時に第１段部構成片の遊端縁（１６ｃ）と、第２段部構成片の遊端縁（１６ｄ）とが同じ高さ位置に揃うものとなされている。
【００３０】
このような展開状態から蓋体を所期する形態に組み立てる動作について説明すると、図５（イ）に示すように、長側壁（１３）と短側壁（１２）とを同時に少しずつ、起立させていくと、第１連結片と第２連結片との間の山折目（２５）が山折りされながら、図（ロ）に示すように、両段部構成片間の山折目（２６）が山折りされ始める。
【００３１】
この時、第２段部構成片と第２連結片との間の山折目（２７）も山折りされるが、その程度は僅かである。
【００３２】
さらに長短両側壁（１３）（１２）の起立が進むと、図５（ハ）に示すように第２段部構成片と第２連結片との間の山折目（２７）も所期する角度に近い角度に山折りされ、長短両側壁（１３）（１２）が天壁（１１）に対して直立するまでに起立すると、第２段部構成片と第２連結片との間の山折目（２７）も所期する角度に山折りされる。
【００３３】
そこで、第２連結片の短側壁対応面に設けられた接着部（１９）を短側壁内面に貼着すると、所期する形態の蓋体が得られると共に、蓋体内隅部に短側壁から突出したかのような、図６（イ）に示すような平面視三角形状の段部（１６）が得られるのである。
【００３４】
この段部（１６）は、第１段部構成片の遊端縁（１６ｃ）と第２段部構成片の遊端縁（１６ｄ）とが、同じ高さ位置にあるものと設定されているので、両遊端縁（１６ｃ）（１６ｄ）が揃って荷重を受けることになるので、荷重が分散され、耐荷重性に優れた包装用紙箱が提供されている。
【００３５】
なお、第２段部構成片（１６ｂ）の遊端縁は、この実施形態のように必ずしも第１段部構成片（１６ａ）の遊端縁（１６ｃ）と同じ高さ位置になくても良いが、第１段部構成片（１６ａ）にかかる荷重を分散させる意味では、同じ高さ位置であることが好ましい。
【００３６】
また、この実施形態では、両遊端縁（１６ｃ）（１６ｄ）の長さがほぼ同長に設定されているが、図７に示すように、第２段部構成片（１６ｂ）の遊端縁（１６ｄ）の長さを第１段部構成片（１６ａ）の遊端縁（１６ｃ）の長さよりも長くしてもかまわない。
【００３７】
さらに、この実施形態では、連結片（１４）が側壁（１２）に貼着されているが、例えば、側壁に内壁となる内方折り返し片を設け、その内方折り返し片によって連結片が包み込まれるようしたものとしてもよい。
【００３８】
この場合、折り返し片の分だけ紙材料を余計に要することになるが、貼着状態の完了までに要する時間を不要とし、全体としての製造時間の短縮を図ることができる。
【図面の簡単な説明】
【００３９】
【図１】この発明の第１実施形態に係る包装用紙箱の箱本体に蓋体を被せる途上の斜視図である。
【図２】同閉蓋時の要部断面図である。
【図３】同天地を逆にした蓋体に箱本体を嵌め入れた状態の要部断面図である。
【図４】蓋体の展開状態平面図である。
【図５】蓋体の組立状態説明図である。
【図６】（イ）は、蓋体隅部の展開状態拡大平面図、（ロ）は同蓋体隅部の組立時の拡大平面図である。
【図７】（イ）は、この発明の第２実施形態に係る包装用紙箱の他の実施形態の蓋体隅部の展開状態拡大平面図、（ロ）は、同同蓋体隅部の組立時の拡大平面図である。
【図８】従来の包装用紙箱蓋体の要部斜視図である。
【図９】（イ）は同蓋体の隅部の展開状態拡大平面図、（ロ）は同蓋体隅部の組立時の拡大平面図である。
【符号の説明】
【００４０】
１・・・・・・・箱本体
２、３、４、５・・・・・・・側壁
２ａ、３ａ、４ａ、５ａ・・・・・・側壁上壁
１０・・・・・・蓋体
１１・・・・・・天壁
１２・・・・・・短側壁
１３・・・・・・長側壁
１４・・・・・・連結片
１４ａ・・・・・第１連結片
１４ｂ・・・・・第２連結片
１６・・・・・・段部
１６ａ・・・・・第１段部構成片
１６ｂ・・・・・第２段部構成片
１６ｃ・・・・・第１段構成片遊端部
１６ｄ・・・・・第２段部構成片遊端部
２０・・・・・・摩擦軽減用透孔
２５、２６、２７・・・山折目
【図１】
2008296963.tif 000003
【図２】
2008296963.tif 000004
【図３】
2008296963.tif 000005
【図４】
2008296963.tif 000006
【図５】
2008296963.tif 000007
【図６】
2008296963.tif 000008
【図７】
2008296963.tif 000009
【図８】
2008296963.tif 000010
【図９】
2008296963.tif 000011